(57)【特許請求の範囲】
【請求項１】
コンテンツを再生して出力する再生装置と、当該再生装置から出力されたコンテンツを表示する表示装置とを有する映像表示システムであって、
前記再生装置から前記表示装置へ３Ｄ映像の表示を要求するメッセージが出力された場合に、前記表示装置が２Ｄ映像を表示している状態であると、前記表示装置は前記再生装置へ３Ｄコンテンツの再生の停止を指示するメッセージを送信し、
前記再生装置は前記３Ｄコンテンツの再生の停止を指示するメッセージを受信すると前記３Ｄコンテンツの再生を停止し、
前記表示装置はユーザから３Ｄコンテンツを再生する指示を受信すると、前記再生装置に前記３Ｄコンテンツの再生を指示するメッセージを送信し、
前記再生装置は前記３Ｄコンテンツの再生を指示するメッセージを受信すると、前記３Ｄコンテンツを再生して出力することを特徴とする映像表示システム。
【請求項２】
請求項１の映像表示システムにおいて、
前記表示装置は、前記再生装置へ３Ｄコンテンツの再生の停止を指示するメッセージを送信すると共に、３Ｄ映像の視聴の準備を促すメッセージを出力することを特徴とする映像表示しステム。
【請求項３】
請求項２の映像表示システムであって、
前記表示装置における３Ｄ映像の視聴の準備を促すメッセージの出力は、音声を出力することにより行われることを特徴とする映像表示システム。
【請求項４】
請求項２の映像表示システムであって、
前記表示装置における３Ｄ映像の視聴の準備を促すメッセージの出力は、当該メッセージを表示することにより行われることを特徴とする映像表示システム。
【請求項５】
再生装置から出力されたコンテンツを表示する表示装置であって、
前記再生装置から３Ｄ映像の表示を要求するメッセージが入力されると、２Ｄ映像を表示している状態である場合は、前記再生装置へ３Ｄコンテンツの再生の停止を指示するメッセージを送信し、
前記再生装置へ３Ｄコンテンツの再生を停止するメッセージを送信した後、ユーザから３Ｄコンテンツを再生する指示を受信すると、前記再生装置に３Ｄコンテンツの再生を指示するメッセージを送信することを特徴とする表示装置。
【請求項６】
請求項５記載の表示装置であって、
前記再生装置から３Ｄ映像の表示を要求するメッセージが入力されたときに、２Ｄ映像を表示している状態である場合は、３Ｄ映像の視聴の準備を促すメッセージを出力することを特徴とする表示装置。
【請求項７】
請求項６の表示装置であって、
前記３Ｄ映像の視聴の準備を促すメッセージの出力は、音声を出力することにより行われることを特徴とする表示装置。
【請求項８】
請求項６の表示装置であって、
前記３Ｄ映像の視聴の準備を促すメッセージの出力は、当該メッセージを表示することにより行われることを特徴とする表示装置。
【発明の詳細な説明】
【技術分野】
【０００１】
技術分野は、映像信号の送受信に関する。
【背景技術】
【０００２】
特許文献１には、「２Ｄ表示される画像、３Ｄ表示される画像をそれぞれ最初から使用者が堪能することができる」ことを課題とし、その解決手段として「表示手段に表示させるアプリケーションデータが２Ｄ表示用の画像であるか３Ｄ表示用の画像データであるかを判別する判別手段と、前記表示手段に前記アプリケーションデータを表示する前に前記判別手段での判別結果を前記表示手段に表示させる」ことが開示されている。
【先行技術文献】
【特許文献】
【０００３】
【特許文献１】特開２００３−３３３６２４号公報
【発明の概要】
【発明が解決しようとする課題】
【０００４】
特許文献１には「３Ｄ表示を行う手法としては、・・・・特殊な眼鏡を用いることによって立体視を可能とする方式、あるいは、・・・・裸眼による立体視を可能とするパララックスバリヤ方式やレンチキュラレンズ方式」があり、「使用者は、３Ｄ表示される画像を立体視するためには、３Ｄ観察用の特殊な眼鏡をかける、あるいは、３Ｄ表示される画像が立体視されるように観察位置を調整するといった行為を行う必要がある。」と記載されているように、表示される画像を適切に視聴するためには、それぞれの３Ｄ表示方式に応じた調整が必要となる。
【０００５】
ここで、特許文献１は、「３Ｄ画像を録画及び再生可能な表示装置付電子式録画再生機器など」の３Ｄ表示装置と映像信号再生装置とが一体になったものを対象としているため、３Ｄ表示装置の３Ｄ表示方式は予め定められている。よって、３Ｄ表示される画像の視聴に関する注意事項について、映像信号再生装置はその予め定められた３Ｄ表示に関する注意事項のみを表示する構成となっている。
【０００６】
しかし、３Ｄ表示装置と映像信号再生装置とが分離されている場合、映像信号再生装置は接続される表示装置の３Ｄ表示方式を特定することができず、３Ｄ表示される画像の視聴に関する注意事項を３Ｄ表示装置に対して出力できないおそれがある。
【課題を解決するための手段】
【０００７】
上記の課題を解決するために、本発明の一実施の態様は、例えば特許請求の範囲に記載された技術的思想を用いる。
【発明の効果】
【０００８】
上記手段によれば、３Ｄコンテンツの適切な視聴を促進することが可能となり、ユーザにとって使い勝手の良い装置を提供することができる。
【図面の簡単な説明】
【０００９】
【図１】映像システムの一例を示すブロック図である。
【図２】映像システムにおけるメッセージの送受信の一例を示す図である。
【図３】映像システムにおけるメッセージの一例を示す表である。
【図４】映像システムにおけるメッセージの引数の一例を示す表である。
【図５】映像システムの一例を示すブロック図である。
【図６】映像伝送システムにおける処理の一例を示すフローチャートである。
【発明を実施するための形態】
【００１０】
以下、実施例について説明する。以下の実施例において、３Ｄとは３次元を、２Ｄとは２次元を意味する。例えば３Ｄ映像とは、左右の眼に視差のある映像を提示することにより、観察者があるオブジェクトを立体的に、自分と同じ空間に存在するかのように知覚することを可能とする映像を意味する。また、例えば３Ｄ表示装置とは、３Ｄ映像を表示することが可能な表示装置である。また、例えば３Ｄコンテンツとは、３Ｄ表示装置による処理で３Ｄ映像の表示が可能となる映像信号を含むコンテンツである。
【実施例１】
【００１１】
図１は、本実施例における映像伝送システムを示すブロック図であって、映像信号再生装置１２が、３Ｄ表示装置２２とＨＤＭＩ（High-Definition Multimedia Interface）ケーブル３１を介して接続されている。映像信号再生装置１２は例えばＤＶＤプレイヤー、ＤＶＤレコーダ、Ｂｌｕ‐ｒａｙ  Ｄｉｓｃプレイヤー、Ｂｌｕ‐ｒａｙ  Ｄｉｓｃレコーダ、ＨＤＤレコーダ等であって、光ディスクや磁気記録ディスク、半導体メモリなどの記憶媒体１１１、データ読出部１１２、デコード部１１３、ＯＳＤ（On Screen Display）生成部１１４、映像信号合成部１１５、ＣＥＣ（Consumer Electronics Control）通信部１１６、制御部１１７、ＥＤＩＤ（Extended Display Identification Data）読出部１１８、映像送信部１１９を有する。なお、記録媒体１１１は映像信号再生装置１１に内蔵されていてもよいし、着脱可能であってもよい。
【００１２】
映像信号再生装置１１では、記録媒体１１１からデータ読出部１１２により読み出された映像データがデコード部１１３でデコードされる。デコードされた映像データは、必要に応じてＯＳＤ生成部１１４で生成されたＯＳＤと映像信号合成部１１５で合成され、映像送信部１１９から出力される。
【００１３】
３Ｄ表示装置２２は、３Ｄ映像を表示することが可能なディスプレイであり、例えば液晶ディスプレイ、プラズマディプレイ、有機ＥＬディスプレイ等を含む表示装置である。３Ｄ表示装置２１はＣＥＣ通信部２１１と制御部２１２、ＥＤＩＤ記憶部２１３、映像受信部２１４、ＯＳＤ生成部２１５、映像信号合成部２１６、表示部２１７を有する。なお、アンテナで受信した放送波を処理するチューナ、デスクランブラ、デマルチプレクサ、デコーダ等も含む構成としてもよい。
【００１４】
３Ｄ表示装置２２では、映像受信部２１４で受信した映像データを表示部２１７で表示する。また、ＯＳＤ生成部２１５で生成されたＯＳＤ画像を映像受信部２１４で受信した映像データと合成部２１６で合成して表示部２１７に表示させることも可能である。
【００１５】
３Ｄ表示装置２２が３Ｄ映像を表示する方法としては、アナグリフ方式、偏光表示方式、フレーム・シーケンシャル方式、視差（パララックス）バリア方式、レンチキュラレンズ方式、マイクロレンズアレイ方式、光線再生方式等がある。
【００１６】
アナグリフ方式とは、左右異なる角度から撮影した映像をそれぞれ赤と青の光で重ねて再生し、左右に赤と青のカラーフィルタの付いた眼鏡（以下、「アナグリフ眼鏡」ともいう）で見る方式である。
【００１７】
偏光表示方式とは、左右の映像に直交する直線偏光をかけて重ねて投影し、これを偏光フィルタの付いた眼鏡（以下、「偏光眼鏡」ともいう）により分離する方式である。
【００１８】
フレーム・シーケンシャル方式とは、左右異なる角度から撮影した映像を交互に再生し、左右の視界が交互に遮蔽される液晶シャッターを備えた眼鏡（以下シャッター眼鏡ともいう）で見る方式である。
【００１９】
視差バリア方式とは、ディスプレイに「視差バリア」と呼ばれる縦縞のバリアを重ねることで、右眼には右眼用の映像、左眼には左眼用の映像を見せる方式であり、ユーザが特別な眼鏡等を着用する必要がない。視差バリア方式は、さらに視聴する位置が比較的狭い２視点方式、視聴する位置が比較的広い多視点方式等に分類することもできる。
【００２０】
レンチキュラレンズ方式とは、ディスプレイにレンチキュラレンズを重ねることで、右眼には右眼用の映像、左眼には左眼用の映像を見せる方式であり、ユーザが特別な眼鏡等を着用する必要がない。レンチキュラレンズ方式は、さらに視聴する位置が比較的狭い２視点方式、視聴する位置が左右に比較的広い多視点方式等に分類することもできる。
【００２１】
マイクロレンズアレイ方式とは、ディスプレイにマイクロレンズアレイを重ねることで、右眼には右眼用の映像、左眼には左眼用の映像を見せる方式であり、ユーザが特別な眼鏡等を着用する必要がない。マイクロレンズアレイ方式は、視聴する位置が上下左右に比較的広い多視点方式である。
【００２２】
光線再生方式とは、光線の波面を再生することにより、観察者に視差画像を提示する方式であり、ユーザが特別な眼鏡等を着用する必要がない。また、視聴する位置も比較的広い。
【００２３】
なお、３Ｄ映像の表示方式は一例であり、上記以外の方式を採用してもよい。また、アナグリフ眼鏡、偏光眼鏡、シャッター眼鏡等、３Ｄ映像を視聴するために必要な道具や装置を総称して３Ｄ眼鏡、３Ｄ視聴装置または３Ｄ視聴補助具ともいう。
【００２４】
ＨＤＭＩケーブル３１はＣＥＣ線３１１とＤＤＣ（Display Data Channel）線３１２、ＴＭＤＳ（Transition Minimized Differential Signaling）線３１３を有する。
【００２５】
ＨＤＭＩ及びHigh-Definition Multimedia InterfaceはHDMI Licensing, LLCの登録商標であり、映像・音声信号のディジタルインタフェースの一つである。ＣＥＣは、ＨＤＭＩが有する双方向通信による映像機器間制御を行う機能を提供するものである。ＥＤＩＤは、ＶＥＳＡ（Video Electronics Standards Association）が策定した表示装置の受信表示能力を示す記述データ形式であり、ＨＤＭＩが採用している。ＴＭＤＳはＨＤＭＩが採用しているディジタルデータの差動伝送方式である。以下、ＨＤＭＩを例にとって説明するが、他の映像ディジタルインタフェースでも同様に実現できる。
【００２６】
以下、ＣＥＣを用いて、映像信号再生装置１２が３Ｄ表示装置２２へ３Ｄ表示を指示し、表示装置２２が現在の３Ｄ表示状態をリアルタイムに映像信号再生装置１２へ伝える事により、ユーザへより的確にわかりやすい案内表示又は案内音声を提供する実施例を説明する。
【００２７】
図３はＣＥＣに新たに追加するメッセージの定義例を、図４はそのメッセージの引数の定義例を示す。以下、図２に示すメッセージの送受信の一例を用いて、本実施例の動作を説明する。
【００２８】
ユーザ４１が、表示装置２２のリモコンで〔play〕ボタン（コンテンツの再生を指示するボタンであって、再生ボタンともいう。）を押すと、その赤外光を受けた表示装置２２の制御部２１２がＣＥＣ通信部２１１に、ＨＤＭＩケーブル３１のＣＥＣ線３１１を通じて映像信号再生装置１２へリモコン・コード〔Play〕を<User Control Pressed> [“Play"] メッセージで伝えるように制御する。ここで、< >は命令コード、[  ]は引数を示しており、このメッセージはＨＤＭＩの標準メッセージである。
【００２９】
映像信号再生装置１２のＣＥＣ通信部１１６がそのメッセージを受信すると、制御部１１７が各ブロックを制御し、データ読出部１１２が記憶媒体１１１から３Ｄコンテンツの導入部の映像データを読出し、デコード部１１３が３Ｄ映像信号にデコードし、映像信号合成部１１５を介して映像送信部１１９からＨＤＭＩケーブル３１のＴＭＤＳ線３１３へ３Ｄフォーマットの映像信号を出力する。
【００３０】
または、ＯＳＤ生成部１１４が３Ｄ映像信号を生成し、映像信号合成部１１５を経由して映像送信部１１９からＨＤＭＩケーブルの３１のＴＭＤＳ線へ３Ｄフォーマットの映像信号を出力してもよい。
【００３１】
この３Ｄフォーマットの映像信号を３Ｄ表示装置２２が映像受信部２１４で受信後、映像信号合成部を経由して表示部２１７へ表示する。この表示は、３Ｄ表示装置が３Ｄフォーマットの映像信号を受信した際に、２Ｄ表示状態を継続するか、３Ｄ表示状態へ自動切換えを行うかなどは、３Ｄ表示装置のユーザ設定または表示装置メーカの設計などにより変わるものである。本実施例では、いずれの方法を採用してもよい。
【００３２】
映像信号再生装置１２は、３Ｄフォーマットの映像信号の出力開始と合わせて、３Ｄ表示装置を３Ｄ表示状態に設定を要求する<Activate 3D display mode> [“3D”] メッセージを３Ｄ表示装置２２へ送る。このメッセージは図３と図４で定義する本発明の命令コードと引数を用いている。
【００３３】
３Ｄ表示状態を要求された３Ｄ表示装置２２は、既に３Ｄ表示状態であればユーザ４１への案内表示又は案内音声を省略するが、新たに２Ｄ表示状態から移行する場合は「３Ｄ眼鏡をおかけください」などの案内表示又は案内音声をユーザ４１に提供する。
【００３４】
案内表示の場合は、ＯＳＤ生成部２１５で案内表示用映像信号を生成後、映像信号合成部２１６によって映像信号再生装置１２から入力される映像信号と合成して表示部２１７で表示を行う。案内音声の場合は、図示していないが、音声生成部で生成した音声をスピーカで再生する。
【００３５】
３Ｄ表示装置２２は、案内表示や案内音声をユーザ４１に提供すると同時に、３Ｄ眼鏡の着用等、ユーザが３Ｄ映像を視聴するための準備期間を確保するために、３Ｄコンテンツ再生を待つよう、<Report 3D display mode> [“Need glasses”] [“0”] [“3D”] [“Wait”] メッセージで映像信号再生装置１２へ返答する。このメッセージも図３と図４で定義する本発明の命令コードと引数を用いている
映像信号再生装置１２は３Ｄコンテンツ再生開始せずに待機、又は３Ｄコンテンツの導入部を静止画表示あるいは繰り返し表示などで待機する。
【００３６】
ユーザ４１が３Ｄ眼鏡をかけるなど３Ｄ映像を視聴する準備ができると、ユーザ４１がリモコンの〔Play〕を押す。その赤外光を受けた表示装置２２が映像信号再生装置１２へリモコン・コード〔Play〕を<User Control Pressed> [“Play"] メッセージで伝え、映像信号再生装置１２が３Ｄコンテンツの再生を始め、３Ｄ映像信号を表示装置２２へ出力する。
【００３７】
３Ｄ表示装置２２は〔Play〕ボタンを押す案内表示又は案内音声に代えて、他のボタン、例えば〔決定〕ボタンなどの所定のボタンを押す案内をしている場合、ユーザ４１が３Ｄ視聴準備完了時に押すボタンはその案内に従ったボタンであればよい。この場合は、３Ｄコンテンツ再生を指示するメッセージは、上記のリモコン・コード〔Play〕を伝えるメッセージでも良いし、３Ｄ表示状態へ移行し準備完了を意味する<Report 3D display mode> [“Need glasses”] [“0”] [“3D”] [“No Error”] であっても良い。
【００３８】
尚、上記は３Ｄ眼鏡を必要とする方式の３Ｄ表示装置の場合を例にとって説明したが、図３に示す定義表に従えば、３Ｄ眼鏡を必要としない裸眼方式の場合や、２Ｄ／３Ｄを切り換えて表示できる場合でもあっても、３Ｄ表示装置は当該３Ｄ表示装置の３Ｄ表示方式や、現在の２Ｄ／３Ｄの切換状態を当該３Ｄ表示装置自身で把握できているので、適切な３Ｄ視聴への案内表示又は案内音声を提供でき、ユーザにとって使い勝手のよい３Ｄ表示装置を実現できる。また、３Ｄ表示装置のユーザの３Ｄ映像を視聴する準備の状況を、映像信号再生装置がリアルタイムに通信で知る事ができるので、より的確なコンテンツ再生準備ができる利点がある。
【００３９】
例えば裸眼方式の場合は、３Ｄ眼鏡を着用する案内の表示に替えて、視聴範囲が狭い事を伝えて、３Ｄ表示が良好に見える位置への移動を促す案内表示又は案内音声としても良い。また、２Ｄ／３Ｄ表示の切換ができる３Ｄ表示装置では、ユーザ設定などで２Ｄ表示状態に設定されていることを伝え、３Ｄ表示状態に切換を促す案内表示又は案内音声としてもよい。
【００４０】
この場合、ユーザがあえて２Ｄ表示状態の継続を選択する場合は、３Ｄ表示装置は２Ｄ表示状態のままで、<Report 3D display mode> [“Not need glasses”] [“4”] [“3D”] [“No Error”]を伝送して３Ｄ映像信号を要求しても良い。<Report 3D display mode> [“Not need glasses”] [“4”] [“2D”] [“No Error”]を送っても良いが、この場合は、３Ｄコンテンツが２Ｄ表示状態を禁止する」フラグを有している場合は３Ｄ映像出力がキャンセルされてしまう可能性があるからである。
【００４１】
以上、ＨＤＭＩのＣＥＣ通信メッセージを例にとって説明したが、ＨＤＭＩで定義されたイーサネット（登録商標）チャンネルを通じた通信メッセージででも同様な動作と効果が期待できる。このイーサネットチャンネルを使うことにより、ＣＥＣに比べて短時間での通信が可能になり、より２Ｄ／３Ｄ切換の応答性に優れた３Ｄシステムを構築できる。
【実施例２】
【００４２】
図５は、第２の実施例を示すブロック図である。放送受信できる映像信号再生装置１３と、３Ｄ表示装置２２をＨＤＭＩケーブル３１を介して接続されている。図１のブロック図と同じ機能を持つ部分には同じ番号を付与している。図１と異なる部分は、記憶媒体１１１とデータ読出部に代えて、放送電波を受けるアンテナ１３１に接続される放送受信部１３２と、その受信データを一時的に記憶する一時記憶部を設けている。
【００４３】
３Ｄ映像を視聴するための準備（例えば３Ｄメガネを着用する、視聴する位置を調整する等）が必要な場合、準備が整うまでは３Ｄコンテンツ再生を開始しないほうがユーザにとって好ましい。実施例１では、３Ｄ視聴要件に関する表示を行った後、ユーザからの再生指示を待って３Ｄコンテンツの再生を行っているが、３Ｄコンテンツを放送波を介して受信、再生する場合、コンテンツの再生を一時停止することはできない。そのため、３Ｄコンテンツを視聴する準備を行っている間に、３Ｄコンテンツの冒頭部分を見逃してしまうおそれがある。
【００４４】
そこで、本実施例では一時記憶部１３３を設けて３Ｄ視聴要件が整うまで放送波を介して受信した３Ｄコンテンツを一時記憶させ、３Ｄ視聴要件が整った後にタイムシフト再生することにより、３Ｄコンテンツを最初から視聴できるように構成する。以下、本実施例における処理の一例を、図６を用いて説明する。
【００４５】
ステップ１５０１では、放送受信部１３２がアンテナ１３１を介して放送番組の受信処理を行う。ステップ１５０２では、放送受信部１３２で受信処理された放送番組が３Ｄコンテンツであるか、２Ｄコンテンツであるかの判断を行う。
【００４６】
ステップ１５０２で２Ｄコンテンツと判断された場合、ステップ１５０８に進み、受信した放送番組を再生する。
【００４７】
ステップ１５０２で３Ｄコンテンツと判断された場合、ステップ１５０３に進み、追っかけ再生（タイムシフト再生）が必要なコンテンツであるか否かを判断する。例えば、ニュースや実況中継などのリアルタイム性が重視される放送コンテンツの場合は、追っかけ再生が不適切と考えるユーザが存在する可能性もある。追っかけ再生が必要であるか否かの判断は、例えば放送番組に含まれるメタデータ等から特定される番組のジャンルに基づいて行うように構成してもよい（例えば、番組のジャンルがニュースの場合は、追っかけ再生が不要と判断）。なお、追っかけ再生とは、放送番組を録画しながら再生することを意味する。
【００４８】
ステップ１５０３で追っかけ再生が不要と判断された場合、受信した放送番組をそのまま再生する。なお、放送番組の再生と共に、３Ｄ視聴要件に関する案内を表示するように構成してもよい。
【００４９】
ステップ１５０３で追っかけ再生が必要と判断された場合、ステップ１５０４に進み、受信した番組の一時記憶部１３３への記録を開始し、ステップ１５０５に進む。
【００５０】
ステップ１５０５では、３Ｄ視聴要件に関する案内表示を行い、ステップ１５０６に進む。案内表示については、実施例１で説明した方法（例えば図２のフロー）を用いればよい。図２では、ユーザからの再生の指示を起点としているが、本実施例ではユーザの再生の指示に替えて３Ｄコンテンツの受信を起点とすればよい。そして、図２におけるユーザの２回目の再生の指示（案内表示後の再生の指示）を、後述するステップ１５０６でのユーザの再生指示とすればよい。
【００５１】
ステップＳ１５０６では、ユーザからコンテンツの再生の指示があったか否かを判断し、ユーザから再生の指示がされると、Ｓ１５０７に進み一時記憶部１３３に記録されたコンテンツの再生を開始する。
【００５２】
上記説明したステップのうち、ステップ１５０３は省略してもよい。また、Ｓ１５０４とＳ１５０５の順番は逆でもよいし、同時に行われてもよい。
【００５３】
また、本実施例では一時記憶部１３３を備える構成を説明したが、コンテンツを記録する内蔵または外付けの記録媒体を有する構成とし、当該記録媒体を用いて追っかけ再生を行うように構成してもよい。
【００５４】
本実施例によれば、３Ｄコンテンツを放送波を介して受信したときに、ユーザが３Ｄ映像を視聴する準備が整っていなかったとしても、受信した３Ｄコンテンツを追っかけ再生することで、受信した３Ｄコンテンツの冒頭から３Ｄ映像を視聴することが可能となる。
【００５５】
また、一時記憶部１３３を備えない構成とし、３Ｄコンテンツを受信すると、３Ｄ視聴要件に関する案内表示（実施例１で説明した方法（例えば図２のフロー）により決定した案内表示）を行うようにしてもよい。図２では、ユーザからの再生の指示を起点としているが、ここではユーザの再生の指示に替えて３Ｄコンテンツの受信を起点とし、ユーザの２回目の指示を待たずに受信した３Ｄコンテンツを再生する構成にすればよい。この場合、受信した３Ｄコンテンツの冒頭の映像は３Ｄ映像として視聴できないおそれがあるが、受信したコンテンツが３Ｄコンテンツであることをユーザに知らせることが可能となる。
【００５６】
また、例えば電子番組表（ＥＰＧ）の情報から３Ｄコンテンツが放送される時間が特定できる場合、３Ｄコンテンツが放送される所定時間前（例えば５分前）に、実施例１で説明した方法（例えば図２のフロー）により決定した３Ｄ視聴要件に関する案内を表示するように構成してもよい。図２では、ユーザからの再生の指示を起点としているが、ここではユーザの再生の指示に替えて３Ｄコンテンツが放送される所定時間前を起点とし、ユーザの２回目の再生の指示を待たずに受信した３Ｄコンテンツを再生する構成にすればよい。この場合、一時記憶部１３３を備えなくても、受信した３Ｄコンテンツが再生される前から３Ｄ映像を視聴するための準備を促すことが可能となる。
【００５７】
なお、本実施例は放送波を用いたコンテンツの伝送を例に説明したが、これに限定されない。例えば、インターネット回線を利用した放送（ＩＰ放送）等、他の方法を用いた放送であっても同様の効果が得られる。
【符号の説明】
【００５８】
１２、１３  映像信号再生装置、１１１  記憶媒体、１１２  データ読出部、１１３  デコード部、１１４，２１５  ＯＳＤ生成部、１１５，２１６  映像信号合成部、１１６，２１１  ＣＥＣ通信部、１１７，２１２  制御部、１１８  ＥＤＩＤ読出部，１１９  映像送信部、１３１  アンテナ、１３２  放送受信部、１３３  一時記憶部、２２  ３Ｄ表示装置、２１３  ＥＤＩＤ記憶部、２１４  映像受信部、２１７  表示部、３１  ＨＤＭＩケーブル、３１１  ＣＥＣ線、３１２，ＤＤＣ線、３１３  ＴＭＤＳ線、４１  ユーザ
【図１】
0005527727.tif 000002
【図２】
0005527727.tif 000003
【図３】
0005527727.tif 000004
【図４】
0005527727.tif 000005
【図５】
0005527727.tif 000006
【図６】
0005527727.tif 000007